(57)【要約】【課題】  基板のねじ止め部分にアースプレートを共締めする際にアースプレートを基板上に自立できて、基板の穴部とアースプレートのねじ孔とがずれずにアースプレートを片手で支える必要がなく、作業性を大幅に向上でき、故障や取替え等の際にアースプレートを取り外し易い基板へのアースプレートの取付構造を提供する。【解決手段】  フロントパネル１の裏側に配置された基板２の穴部２ａにアースプレート４のねじ孔４ｄを合わせてアースプレート４を共締めによりねじ止めする基板へのアースプレートの取付構造において、基板２におけるアースプレート４が取り付けられ部分の側部近傍箇所に孔２ｂが形成され、アースプレート４の側部に基板２の孔２ｂに差し込まれる折り曲げ片４ａが形成され、折り曲げ片４ａには、折り曲げ片４ａを基板２の孔２ｂに差し込んだ際に基板２に対して抜け止めされる折り返し片４ｂが形成されている。【選択図】  図３
2009076570.tif 000002
【特許請求の範囲】
【請求項１】
フロントパネルの裏側に配置された基板の穴部にアースプレートのねじ孔を合わせてアースプレートを共締めによりねじ止めするようにした基板へのアースプレートの取付構造において、前記基板における前記アースプレートが取り付けられ部分の側部近傍箇所に孔が形成され、前記アースプレートの側部に前記基板の孔に差し込まれる折り曲げ片が形成され、この折り曲げ片には、折り曲げ片を前記基板の孔に差し込んだ際に前記基板に対して抜け止めされる折り返し片が形成されており、前記アースプレートの折り曲げ片を前記基板の孔に差し込むことにより、前記アースプレートを前記基板上に自立させて前記基板の穴部に前記アースプレートのねじ孔を合わせてアースプレートを共締めによりねじ止めするように構成したことを特徴とする基板へのアースプレートの取付構造。
【請求項２】
前記アースプレートには、前記折り曲げ片が設けられた部分の反対側の側部に前記基板に形成された別孔に差し込まれる屈曲片が形成されている請求項１に記載の基板へのアースプレートの取付構造。
【請求項３】
前記アースプレートには、前記折り曲げ片が設けられた部分の反対側の側部に略Ｌ字形の止め片が延設され、この止め片の先端の折り曲げ部分が前記基板の側部に当接するように構成されている請求項１に記載の基板へのアースプレートの取付構造。
【発明の詳細な説明】
【技術分野】
【０００１】
本発明は、フロントパネルの裏側に配置された基板の穴部にアースプレートのねじ孔を合わせてアースプレートを共締めによりねじ止めするようにした基板へのアースプレートの取付構造に関するものである。
【背景技術】
【０００２】
従来の基板へのアースプレートの取付構造は、図６に示すように、フロントパネル１０１の裏側に配置された基板１０２の穴部１０２ａにアースプレート１０３のねじ孔１０３ａを合わせてアースプレート１０３を共締めによりねじ止めするには、基板１０２上に置かれたアースプレート１０３が、重力によって所定の位置から落下してしまうために、片手でアースプレート１０３を支えながらねじ止めする必要があった。このために、アースプレート１０３のサイズが小さい場合にはこの作業が困難であるという問題があった。尚、図６において、符号１０４は回転止めである。
【０００３】
第１の従来技術を図７（ａ）（ｂ）、図８に示す。この従来の回路基板接地装置は、図７（ａ）（ｂ）、図８に示すように、回路基板２０２の貫通孔２１８に対して接地端子２１０の突出部２１５の先端部２１５ａが離間するように接地端子２１０における抜け止め突起２２１、２２２を有する脚部２１３、２１４と平面部２１２との間に折曲部２２０が設けられている。回路基板２０２の半田ディップ後、接地端子２１０の折曲部２２０を矢印方向に折り曲げて接地端子２１０の突出部２１５を回路基板２０２の貫通孔２１８に挿通させると共に接地端子２１０の平面部２１２を回路基板２０２に重ねて配置し、貫通孔２１８を通して突出部２１５の先端部２１５ａを金属製の筐体２０６の接地結合部２０６ａに当接させる。この回路基板接地装置では、回路基板２０２の半田ディップ前において接地端子２１０の突出部２１５が回路基板２０２の貫通孔２１８に対して離間して配置されるので、半田ディップの際に不要な半田が接地端子２１０の突出部２１５に付着せず、マスキングテープ等の貼付及び剥離作業を省略して組立工程を簡略化できるものである。（例えば、特許文献１参照）。
【０００４】
ところが、これにおいては、図８に示すように、脚部２１３、２１４を回路基板２０２の脚部挿入孔２１６、２１７に嵌め込んだ後に、脚部２１３、２１４の抜け止め突起２２１、２２２が回路基板２０２の裏面に係止するから、一端嵌め込んだ後に抜け難いという問題があった。
【特許文献１】特開平８−６９８２６号公報
【発明の開示】
【発明が解決しようとする課題】
【０００５】
本発明は、上記従来の問題に鑑みてなされたものであって、基板のねじ止め部分にアースプレートを共締めする際にアースプレートを基板上に自立させることができて、基板の穴部とアースプレートのねじ孔とがずれることがなくてアースプレートを片手で支える必要がなく、ラインでの早い作業でも支障がでないほどに作業性を大幅に向上させることができ、しかも故障や取替え等の際にアースプレートを取り外し易い基板へのアースプレートの取付構造を提供することを目的としている。
【課題を解決するための手段】
【０００６】
本発明は、上記課題を解決するために提案されたものであって、請求項１に記載の発明は、フロントパネルの裏側に配置された基板の穴部にアースプレートのねじ孔を合わせてアースプレートを共締めによりねじ止めするようにした基板へのアースプレートの取付構造において、前記基板における前記アースプレートが取り付けられ部分の側部近傍箇所に孔が形成され、前記アースプレートの側部に前記基板の孔に差し込まれる折り曲げ片が形成され、この折り曲げ片には、折り曲げ片を前記基板の孔に差し込んだ際に前記基板に対して抜け止めされる折り返し片が形成されており、前記アースプレートの折り曲げ片を前記基板の孔に差し込むことにより、前記アースプレートを前記基板上に自立させて前記基板の穴部に前記アースプレートのねじ孔を合わせてアースプレートを共締めによりねじ止めするように構成したことを特徴としている。
【０００７】
請求項２に記載の発明は、請求項１に記載の発明において、前記アースプレートには、前記折り曲げ片が設けられた部分の反対側の側部に前記基板に形成された別孔に差し込まれる屈曲片が形成されている。
【０００８】
請求項３に記載の発明は、請求項１に記載の発明において、前記アースプレートには、前記折り曲げ片が設けられた部分の反対側の側部に略Ｌ字形の止め片が延設され、この止め片の先端の折り曲げ部分が前記基板の側部に当接するように構成されている。
【発明の効果】
【０００９】
請求項１に記載の発明によれば、基板に形成された孔にアースプレートの側部の折り曲げ片を差し込んで折り返し片によって抜け止めしているから、基板のねじ止め部分にアースプレートを共締めする際にアースプレートを基板上に自立させることができて、基板の穴部とアースプレートのねじ孔とがずれることがなくてアースプレートを片手で支える必要がなく、ラインでの早い作業でも支障がでないほどに作業性を大幅に向上させることができる。更に、アースプレートの折り曲げ片が基板の孔に差し込まれているから、ねじ止めの際にアースプレートの回転を防止することができる。また、折り返し片を指で折り曲げ片側に押し付けてアースプレートを基板から取り外すことによって、故障や取替え等の際にアースプレートを取り外し易い。
【００１０】
請求項２に記載の発明によれば、基板に形成された別孔にアースプレートの屈曲片を差し込むことによって、アースプレートがずれることを防ぐことができる。
【００１１】
請求項３に記載の発明によれば、アースプレートの反対側の側部の止め片の折り曲げ部分が基板の側部に当接するので、アースプレートがずれることを防ぐことができる。
【発明を実施するための最良の形態】
【００１２】
以下、本発明に係る基板へのアースプレートの取付構造の実施の形態について、図を参照しつつ説明する。
【００１３】
図１は本発明の実施形態の基板へのアースプレートの取付構造におけるフロントパネルの裏側に配置された基板の形状を示す部分斜視図、図２はアースプレートを示し、（ａ）はその斜視図、（ｂ）はその正面図、図３は基板にアースプレートを取り付けた状態を示し、（ａ）はその部分斜視図、（ｂ）はその部分正面図である。
【００１４】
本実施形態の基板へのアースプレートの取付構造は、図１に示すように、フロントパネル１の裏側に基板２が配置され、基板２に穴部２ａが形成されて更にこの穴部２ａの側方に小さな孔２ｂが形成されている。この基板２は図にて左側が略Ｌ字形に切断されており、その開放部分にフロントパネル１の金属部分３が配置されている。この基板１に取り付けられるアースプレート４は、図２（ａ）（ｂ）に示すように、側部に基板２の孔２ｂに差し込まれる折り曲げ片４ａが形成され、この折り曲げ片４ａには、基板２の孔２ｂに差し込んだ際に基板２に対して抜け止めされる折り返し片４ｂが形成され、更に先端に接地片４ｃ、４ｃが屈曲して形成されている。更に、このアースプレート４には、基板２の穴部２ａに合わせて共締めしてねじ止めされるねじ孔４ｄが形成されている。
【００１５】
図３（ａ）に示すように、アースプレート４を基板２上に配置して、その折り曲げ片４ａが基板２の孔２ｂに差し込まれていて、その接地片４ｃ、４ｃがフロントパネル１の裏側の金属部分３に設置される。また、図３（ｂ）に示すように、アースプレート４の折り曲げ片４ａが基板２の孔２ｂに差し込まれた状態では、このアースプレート４が外れようとするとその折り返し片４ｂの端部が基板２の裏面に接して抜け止めされるようになっている。この状態で、基板２の穴部２ａとアースプレート４のねじ孔４ｄが合わされてフロントパネル１に共締めによりねじ止めされるようになっている。
【００１６】
本実施形態によれば、基板２に形成された孔２ｂにアースプレート４の側部の折り曲げ片４ａを差し込んで折り返し片４ｂによって抜け止めしているから、基板２のねじ止め部分にアースプレート４を共締めする際にアースプレート４を基板２上に自立させることができて、基板２の穴部２ａとアースプレート４のねじ孔４ｄとがずれることがなくてアースプレート４を片手で支える必要がなく、ラインでの早い作業でも支障がでないほどに作業性を大幅に向上させることができる。更に、アースプレート４の折り曲げ片４ａが基板２の孔２ｂに差し込まれているから、ねじ止めの際にアースプレート４の回転を防止することができる。また、折り返し片４ｂを指で折り曲げ片４ａ側に押し付けてアースプレート４を基板２から取り外すことによって、故障や取替え等の際にアースプレート４を取り外し易い
図４は別例の基板のアースプレートの取付構造を示す部分正面図である。
【００１７】
この別例の基板のアースプレートの取付構造は、図４に示すように、アースプレート４には、折り曲げ片４ａが設けられた部分の反対側の側部に基板２に形成された別孔２ｃに差し込まれる屈曲片４ｅが形成されている。従って、基板２に形成された別孔２ｃにアースプレート４の屈曲片４ｅを差し込むことによって、アースプレート４がずれることを防ぐことができる。
【００１８】
図５は更に別例の基板のアースプレートの取付構造を示し部分正面図である。
【００１９】
この別例の基板へのアースプレートの取付構造は、図５に示すように、アースプレート４に、折り曲げ片４ａが設けられた部分の反対側の側部に略Ｌ字形の止め片４ｆが延設され、この止め片４ｆの先端の折り曲げ部分が基板２の側部に当接するようになっている。従って、アースプレート４の反対側の側部の止め片４ｆの折り曲げ部分が基板２の側部に当接するので、アースプレート４がずれることを防ぐことができる。
【図面の簡単な説明】
【００２０】
【図１】本発明の実施形態の基板へのアースプレートの取付構造におけるフロントパネルの裏側に配置された基板の形状を示す部分斜視図である。
【図２】アースプレートを示し、（ａ）はその斜視図、（ｂ）はその正面図である。
【図３】基板にアースプレートを取り付けた状態を示し、（ａ）はその部分斜視図、（ｂ）はその部分正面図である。
【図４】別例の基板のアースプレートの取付構造を示す部分正面図である。
【図５】更に別例の基板のアースプレートの取付構造を示し部分正面図である。
【図６】従来の基板へのアースプレートの取付構造を示す部分斜視図である。
【図７】従来の回路基板接地構造を示し、（ａ）はその接地端子を回路基板に取り付ける状態を示す断面図、（ｂ）はその接地端子を回路基板に取り付けた状態を示す断面図である。
【図８】図７の接地端子を示す斜視図である。
【符号の説明】
【００２１】
１          フロントパネル
２          基板
２ａ        穴部
２ｂ        孔
２ｃ        別孔
３          金属部分
４          アースプレート
４ａ        折り曲げ片
４ｂ        折り返し片
４ｃ        接地片
４ｄ        ねじ孔
４ｅ        屈曲片
４ｆ        止め片
【図１】
2009076570.tif 000003
【図２】
2009076570.tif 000004
【図３】
2009076570.tif 000005
【図４】
2009076570.tif 000006
【図５】
2009076570.tif 000007
【図６】
2009076570.tif 000008
【図７】
2009076570.tif 000009
【図８】
2009076570.tif 000010